(57)【要約】【課題】端面ヘッドをプラテンローラに左右均一に押しつけた状態で接触角を調整できる感熱記録ヘツドの取付構造を提供する。【解決手段】ヘッド取付部材１１３が内側に丁度収まる幅寸法に離間したボトム部材１１１の側板部１１５に、端面ヘッド１１２のコーナー部（プラテンローラに対する接点Ｃ）を中心とする異なる半径（ｒ１，ｒ２）の円弧からなるガイド溝１１６，１１７を設け、該ガイド溝１１６，１１７に一致させて、固定ねじ１２１、シャフト１２２を以てヘッド取付部材１１３を取付け、側板部１１５にさらに設けた調整穴１１８にマイナスドライバを差し込んでヘッド取付部材１１３を相対移動させる。プラテンローラ７４に端面ヘッド１１２のコーナー部を当接させたまま、接触点Ｃが前後移動することなく、ヘッド角のみが増減するので、実際に印字を行い、印字結果を見ながら調整できる。【選択図】　　図７
2004034323.tif 000002
【特許請求の範囲】
【請求項１】
先端部に感熱記録用端面ヘッドが支持されたヘッドブラケットを、前記端面ヘッドに対向配置されたプラテンローラに付勢させる感熱記録ヘッドの取付構造において、
前記ヘッドブラケットには、前記端面ヘッドの幅方向に離間して対をなし、前記端面ヘッドのプラテンローラに対する接点を中心とした異なる半径の円弧からなるガイド部と、
前記端面ヘッドを前記ガイド部に沿って変位させ、プラテンローラに対する接触角を増減させる調整手段と、
前記端面ヘッドを所定位置で固定させる固定手段とを設けたことを特徴とする感熱記録ヘツドの取付構造。
【請求項２】
前記調整手段は、ばねと送りねじからなる請求項１に記載の感熱記録ヘツドの取付構造。
【発明の詳細な説明】
【０００１】
【発明の属する技術分野】
本発明は単葉タグやカード等に感熱記録する記録装置に用いる端面ヘッド（コーナーヘッド）の取付構造に関する。
【０００２】
【従来の技術】
従来より、被印字媒体として単葉タグやカードを用いる感熱記録装置では、これらの非印字媒体を搬送方向に屈曲させられないため、端面ヘッド（コーナーヘッド）が用いられており、これらの感熱記録用端面ヘッドは固定ねじでヘッドブラケットに完全に固定されていた。
【０００３】
【発明が解決しようとする課題】
ところで、従来の感熱記録装置では、プラテンローラに端面ヘッドの左右を均一に押し付けた状態で接触角を調整することが困難であった。
【０００４】
然るに、印字を行うのに最適となる接触角は、各ヘッド毎のバラツキや印字条件によって異なり、端面ヘッドの接触角を調整する必要があった。
【０００５】
本発明は上記従来技術の課題を解決するために成されたもので、その目的は、端面ヘッドをプラテンローラに左右均一に押しつけた状態で接触角を調整できるようにした感熱記録ヘツドの取付構造を提供することにある。
【０００６】
【課題を解決するための手段】
上記課題を解決するため、本発明が採用する構成の特徴は、
ヘッドブラケットに、端面ヘッドの幅方向に離間して対をなし、前記端面ヘッドのプラテンローラに対する接点を中心とした異なる半径の円弧からなるガイド部と、
前記端面ヘッドを前記ガイド部に沿って変位させ、プラテンローラに対する接触角を増減させる調整手段と、
前記端面ヘッドを所定位置で固定させる固定手段とを設けたことにある。
【０００７】
この場合、前記調整手段は、ばねと送りねじから構成するのが好ましい。
【０００８】
【発明の実施の形態】
以下、本発明が適用される好適な実施の形態を添付図に基づき詳述する。
図１は、本発明が適用されるタグプリンタ１０の全体構成を示す斜視図である。図中、タグ３０の幅方向をＸ軸方向、ピッチ（長さ）方向をＹ軸方向として説明する。
【０００９】
同図に示すように、タグプリンタ１０は、ホッパー装置１２、ゲート部材１４、タグ繰り出し装置１６、移送装置１８、印字装置２２及び制御装置２４から大略構成されている。
【００１０】
被印字媒体としての単葉タグ３０、３０、…（以下、単に「タグ」という）は、ゲート部材１４とホッパー装置１２との間に正確に揃えられて積層・保持され、タグ３０は最下部の方から順にタグ繰り出し装置１６によって繰り出され、移送装置１８まで移送される。
【００１１】
タグ繰り出し装置１６は、タグ３０の下面を吸着する３個の吸着パッド３８Ａ、３８Ｂ、３８Ｃと、該吸着パッド３８Ａ〜３８Ｃを支持する図示しないブラケットとからなり、該ブラケットは、降下しながらゲート部材１４の下方をくぐって移送装置１８側に変位するようになっている。
前記タグ繰り出し装置１６は最下部のタグ３０を吸着パッド３８Ａ〜３８Ｃで吸着し、ブラケットを変位させて移送装置１８まで搬送する。ゲート部材１４は上下に積層されたタグ３０の重送を防止し、移送装置１８に正確に一枚ずつのタグ３０が移送される。そして、タグ３０は、前記吸着パッド３８Ａ〜３８Ｃの吸着が解除されて移送装置１８に受け渡される。
【００１２】
移送装置１８は図示しないベルトコンベアを備え、タグ繰り出し装置１６から受け取ったタグ３０を印字装置２２に移送する。
【００１３】
印字装置２２は移送されたタグ３０に印字を行うもので、印字ヘッド７２及びプラテンローラ７４から大略構成されている。
【００１４】
図２は印字装置２２の構成を示す側面図で、図３は同様の上面図である。図２に示すように、プラテンローラ７４は下部フレーム７８の上端部に回転自在に配設されている。印字ヘッド７２はヘッドブラケット７６の先端部下側に支持され、該ヘッドブラケット７６はヘッド軸８０を支点として上部フレームの主要部を構成するサイドフレーム８２と前記ゲート部材１４との間に揺動自在に支持されている。
【００１５】
前記サイドフレーム８２と前記ゲート部材１４との間には複数のガイドローラ９２、９２、…が回転自在に支持されると共に、ヘッドブラケット７６の先端部、印字ヘッド７２近傍にはガイドローラ９４が回転自在に支持されている。
【００１６】
カーボンリボン９６は供給軸１５０（図１５参照）に装着される供給リール（図示せず）からガイドローラ９２にガイドされて印字ヘッド７２とプラテンローラ７４との間に搬送され、ガイドローラ９４、９２にガイドされて巻取軸１５１に装着される巻取リール（図示せず）に搬送される。
【００１７】
前記ヘッド軸８０には同軸上にヘッド軸プーリ８４が設けられ、該ヘッド軸プーリ８４は図３に示すようにゲート部材１４内に収容されている。また、該ヘッド軸プーリ８４はベルト８６を介してモータプーリ８８に接続され、該モータプーリ８８には図示しないステッピングモータが接続されている。９０はベルト８６に付設されたテンションプーリで、ベルト８６に所定のテンションを付与する。
そして、ベルト８６の走行によってヘッドブラケット７６が揺動すると、印字ヘッド７２がプラテンローラ７４に対して離接動する。即ち、ベルト８６が矢印右方向に走行すると印字ヘッド７２が閉じて印字を行い、ベルト８６が矢印左方向に走行すると印字ヘッド７２が開く。
【００１８】
前記サイドフレーム８２にはレバー９８がピン１００を支点として回動自在に支持され、レバー９８の先端部には凹状のフック部９８Ａが形成されている。前記下部フレーム７８には係合ピン１０２が設けられ、前記フック部９８Ａが係合ピン１０２に係合してヘッドブラケット７６が閉位置に固定されるようになっている。
【００１９】
また、前記ヘッドブラケット７６の中央部にはロック用ピン１０４が設けられ、カーボンリボン９６を交換する際には、図４に示す印字ヘッド７２が閉じた状態から、ヘッドブラケット７６を反時計方向に揺動させ印字ヘッド７２を開ける。ヘッドブラケット７６の揺動によりロック用ピン１０４がレバー９８の下縁に当接して、レバー９８のフック部９８Ａが係合ピン１０２から外れ、図５に示すように、ロック用ピン１０４がレバー９８を押し上げて時計方向に回動させる。この、印字ヘッド７２が開いた状態でカーボンリボン９６を交換する。
【００２０】
カーボンリボン９６の交換が終了したら、ヘッドブラケット７６を時計方向に揺動させ印字ヘッド７２を閉じる。ヘッドブラケット７６上のロック用ピン１０４の下降と共にレバー９８が反時計方向に自重で回動し、図４に示すようにフック部９８Ａが契合ピン１０２に係合する。このように、印字ヘッド７２を開けると自動的にヘッドブラケット７６が下部フレーム７８から解除され、印字ヘッド７２を閉じると自動的にヘッドブラケット７６が下部フレーム７８に固定される。
【００２１】
一方、タグ３０を印字ヘッド７２とプラテンローラ７４との間に移送する際には、図４に示すように印字ヘッド７２が閉じた状態から、図６に示すようにヘッドブラケット７６をロック用ピン１０４がレバー９８の下縁に当接しない程度に反時計方向に揺動させ、印字ヘッド７２をタグ３０に接触しない位置まで上昇させる。タグ３０が印字ヘッド７２とプラテンローラ７４との間に移送されたら、ヘッドブラケット７６を時計方向に揺動させて印字ヘッド７２を閉じて、印字を行なうようになっている。
【００２２】
次に、図７ないし図１４を用いてヘッドブラケット７６および印字ヘッド７２の構成を説明する。まず、ヘッドブラケット７６はブラケット本体１１０、ボトム部材１１１、印字ヘッド７２から大略構成されている。また、前記印字ヘッド７２は図１３，図１４に示す如く端面ヘッド１１２とヘッド取付部材１１３から大略構成されている。
図７はヘッドブラケット７６の詳細な側面図、図８は同、上面図である。また、図９〜図１４は、ヘッドブラケット７６または印字ヘッド７２を構成するブラケット本体１１０、ボトム部材１１１またはヘッド取付部材１１３の詳細な側面図ないし上面図である。
ブラケット本体１１０は板金折り曲げ加工等により、断面が略逆Ｕ字状、側面形状が、基端側（ヘッド軸８０側）から先端側（印字ヘッド７２側）に向けて幅が減少する略三角形状をなしている（図９、図１０参照）。
【００２３】
ボトム部材１１１は、図１１、図１２に示す如く、基端側ほぼ半分が前記ブラケット本体１１０と同様、断面が略逆Ｕ字状に折り曲げ形成され、ブラケット本体１１０と同じヘッド軸８０に支持される軸穴１５２を備えている。
【００２４】
また、該ボトム部材１１１の先端側ほぼ半分は、逆Ｕ字状部のうち底部が切取られた無底部１１４と、該無底部１１４を挟んで平行に対向する一対の側板部１１５、１１５となり、該各側板部１１５の先端には前述のガイドローラ９４が支持されている。
【００２５】
該ボトム部材１１１は、前記ブラケット本体１１０の内側に丁度収まる幅寸法を以て、基端側がブラケット本体１１０と同一のヘッド軸８０（図示せず）に支持されるようになっている。
また、該ボトム部材１１１の側板部１１５には、端面ヘッド１１２のコーナー部（プラテンローラ７４との接触点Ｃ）を中心として、２種類の異なる半径（ｒ１，ｒ２）からなる円弧状の穴よりなるガイド溝１１６，１１７が形成されている。また、前記各ガイド溝１１６，１１７の中間位置には、長方形の調整穴１１８が形成されている。
【００２６】
ヘッド取付部材１１３は、前述ボトム部材１１１の各側板部１１５の間に丁度収まる幅寸法を以て、断面が略Ｕ字状に折り曲げ形成され、上部には前後に離間して取付穴を有する取付部１１９，１２０が突出形成されている。そして、ヘッド取付部材１１３は、その底部側に端面ヘッド１１２を固定する固定構造を備え、端面ヘッド１１３の同一面内での傾き等を調整し、固定できるようになっている。
該ヘッド取付部材１１３は取付部１１９，１２０を前述ボトム部材１１１のガイド溝１１６，１１７に一致させ、固定ねじ１２１、シャフト１２２を以て前記ボトム部材１１１に取付けられる。そして、固定ねじ１２１，１２１を緩めた状態で、前記調整穴１１８にマイナス（−）ドライバを差し込み、その先端をテコのようにして、調整穴１１８の上側または下側辺と該調整穴１１８内のヘッド取付部材１１３の上辺または下辺との間隔をこじ開けるようにして広めると、ヘッド取付部材１１３は各ガイド溝１１６，１１７に沿って円弧を描くように相対移動する。このとき、端面ヘッド１１２はコーナー部（プラテンローラ７４との接触点）Ｃが回転中心となる円弧を描くので、プラテンローラ７４と前後に相対移動することなく、接触角のみが増減する。なお、各ガイド溝１１６，１１７の幅と、固定ねじ１２１、シャフト１２２の各径寸法は、互いに移動することが可能で、かつ、ガタつかないように、所定の精度を以て形成されている。そして、ヘッド角度を調節した後、固定ねじ１２１を締め付けることにより、ヘッド取付部材１１３はボトム部材１１１に固定される。
【００２７】
本発明の第一の実施の形態は以上の如きもので、ヘッド取付部材１１３が内側に丁度収まる幅寸法に離間したボトム部材１１１の側板部１１５，１１５に、端面ヘッド１１２のコーナー部（プラテンローラに対する接点Ｃ）を中心とする異なる半径（ｒ１，ｒ２）の円弧からなるガイド溝１１６，１１７を設け、該ガイド溝１１６，１１７に一致させて、固定ねじ１２１、シャフト１２２を以てヘッド取付部材１１３を取付け、さらに側板部１１５に設けた調整穴１１８にマイナスドライバを差し込んでヘッド取付部材１１３を相対移動させるようにしたから、上述のようにプラテンローラ７４に端面ヘッド１１２のコーナー部を当接させたまま、ヘッドの接触角を増減でき、このとき接触点Ｃが前後移動することなく、ヘッド角のみが増減するので、実際にタグ３０に印字を行い、印字結果を見ながら角度調整できる。
【００２８】
また、端面ヘッド１１２の片側で角度調整を行えば、印字ヘッド７２の幅方向反対側でも反映されるので、調整の手間が省けるという効果を奏する。
【００２９】
次に、本発明の第二の実施の形態を図１６ないし図２４を用いて詳述するに、前述したのと同一の構成要素には同一符号を付しその説明を省略するものとする。
【００３０】
まず、１２６は本実施の形態で用いるヘッドブラケットを示し、該ヘッドブラケット１２６は、ブラケット本体１３０、ボトム部材１３１、前述の印字ヘッド７２とから大略構成されている。
【００３１】
図１６はヘッドブラケット１２６および印字ヘッド７２の詳細な側面図、図１７は同、上面図である。また、図１８、１９はヘッドブラケット１２６を構成するブラケット本体１３０の各側面図および上面図、図２０、２１はヘッドブラケット１２６を構成するボトム部材１３１の各側面図および上面図である。
ブラケット本体１３０は、前述第一実施形態のブラケット本体１１０とほぼ同様に、断面略逆Ｕ字状、側面形状が、基端側（ヘッド軸８０側）から先端側（印字ヘッド７２側）に向けて幅が減少する略三角形状に形成されるものの、該ブラケット本体１３０には、底面部ほぼ中央に長円形の調整穴１３８が形成されている。
【００３２】
ボトム部材１３１は、図２０、図２１に示す如く、前述のボトム部材１１１とほぼ同様に無底部１３４、一対の側板部１３５、１３５等を備えて構成されるものの、該ボトム部材１３１は底面部に無底部１３４側から２本の切り込みが形成され、中央が上側に逆Ｌ字状に折り曲げられたねじ座部１３９となり、該ねじ座部１３９にはマイナス（−）の頭部を備えた調整ねじ１４０が取り付けられている。
前記ねじ座部１３９の取付穴１６１（図１６参照）は、該調整ねじ１４０が回転可能に遊嵌して挿通され、調整ねじ１４０の頭部がこの中に抜け止めされている。そして、該調整ねじ１４０先端のねじ部はヘッド取付部材１１３のねじ穴（図２３中に示す１６０）に螺合するようになっている。
また、該ボトム部材１３１は、前記ブラケット本体１３０の内側に丁度収まるように、同一のヘッド軸８０に支持される。そして、前記各側板部１３５には、前述の第一実施形態のガイド溝１１６，１１７と同様のガイド溝１３６，１３７が形成され、該各カイド溝１３６、１３７に固定ねじ１２１，シャフト１２２を介して前述第一の実施形態と同様に印字ヘッド７２（端面ヘッド１１２およびヘッド取付部材１１３）が取付けられている。
【００３３】
１４１はブラケット本体１３０とボトム部材１３１の間に、前記シャフト１２２に巻き付けるように配設されたばね（トルクスプリング）で、該ばね１４１は、ブラケット本体１３０とボトム部材１３１の先端側を離間させる方向に常時付勢している。そして、調整ねじ１４０を回転させて前記ねじ穴１５１内からねじ部が退出するときに、ねじ頭をねじ座部１３９に当接させる。ねじ頭はこの時ねじ座部１３９に対して傾斜することにより、円弧型のカーブを直線方向の移動に変換する。
【００３４】
本実施の形態は以上の構成を有するもので、前記調節ねじ１４０のねじ先端が印字ヘッド７２の基端側（ヘッド軸８０側）に形成したねじ穴１６０に螺合するように組み立てられ、固定ねじ１２１，１２１を緩めた状態で、該調節ねじ１４０をドライバ等で回転させるとねじ先端が印字ヘッド７２の基端側を遠ざけ、または引き寄せるようになり、印字ヘッド７２はヘッド取付部材１１３がガイド溝１３６，１３７に沿って移動するので、端面ヘッド１１２はコーナー部（プラテンローラ７４との接触点）が回転中心となる円弧を描いて、プラテンローラ７４と前後に相対移動することなく、接触角のみが増減する。
【００３５】
ここで、本実施の形態では調節ねじ１４０を印字ヘッド７２の幅方向中央に配設し、ばね１４１がヘッド取付部材１１３の左右を均等に押圧するようにしたので、調節ねじ１４１を回転させると印字ヘッド７２のヘッド角度が左右同時に均一に移動できるといった効果を奏する。
【００３６】
なお、本実施の形態において、ボトム部材１３１に第一の実施の形態で説明した調整穴１１８と同様の長方形の穴が描かれているが、調節穴として用いるものではない。
【００３７】
また、各実施の形態では本発明をタグプリンタに適用した例を説明したが、他にカード用プリンタなどの端面ヘッドを用いる感熱記録装置に適用してもよい。
【００３８】
【発明の効果】
以上説明した通り、本発明によれば、端面ヘッドをプラテンローラに左右均一に押しつけた状態で接触角を調整でき、印字状態を見ながらヘッド角度を調整できるので操作性がよい。
【図面の簡単な説明】
【図１】本発明の印字装置が適用されたタグプリンタの全体構成を示す斜視図である。
【図２】印字装置の構成を示す側面図である。
【図３】印字装置の構成を示す上面図である。
【図４】印字ヘッドが閉じた状態を示す説明図である。
【図５】印字ヘッドが開いた状態を示す説明図である。
【図６】印字ヘッドがタグに接触しない位置まで上昇した状態を示す説明図である。
【図７】第一の実施の形態に係るヘッドブラケットの構成を示す側面図である。
【図８】同、ヘッドブラケットの構成を示す上面図である。
【図９】同、ブラケット本体の構成を示す側面図である。
【図１０】同、ブラケット本体の構成を示す上面図である。
【図１１】同、ボトム部材の構成を示す側面図である。
【図１２】同、ボトム部材の構成を示す上面図である。
【図１３】同、印字ヘッドの構成を示す側面図である。
【図１４】同、印字ヘッドの構成を示す上面図である。
【図１５】同、タグプリンタのヘッドブラケット構成を示す斜視図である。
【図１６】第二の実施の形態に係るヘッドブラケットの構成を示す側面図である。
【図１７】同、ヘッドブラケットの構成を示す上面図である。
【図１８】同、ブラケット本体の構成を示す側面図である。
【図１９】同、ブラケット本体の構成を示す上面図である。
【図２０】同、ボトム部材の構成を示す側面図である。
【図２１】同、ボトム部材の構成を示す上面図である。
【図２２】同、印字ヘッドの構成を示す側面図である。
【図２３】同、印字ヘッドの構成を示す上面図である。
【図２４】同、タグプリンタのヘッドブラケット構成を示す斜視図である。
【符号の説明】
１０…タグプリンタ、３０…タグ、７２…印字ヘッド、７４…プラテンローラ、７６，１２６…ヘッドブラケット、１１０，１３０…ブラケット本体、１１１，１３１…ボトム部材、１１２…端面ヘッド、１１３…ヘッド取付部材、１１６，１１７，１３６，１３７…ガイド溝、１１８…調節穴、１２１…固定ねじ、１４０…調節ねじ、１４１…ばね
【図１】
2004034323.tif 000003
【図２】
2004034323.tif 000004
【図３】
2004034323.tif 000005
【図４】
2004034323.tif 000006
【図５】
2004034323.tif 000007
【図６】
2004034323.tif 000008
【図７】
2004034323.tif 000009
【図８】
2004034323.tif 000010
【図９】
2004034323.tif 000011
【図１０】
2004034323.tif 000012
【図１１】
2004034323.tif 000013
【図１２】
2004034323.tif 000014
【図１３】
2004034323.tif 000015
【図１４】
2004034323.tif 000016
【図１５】
2004034323.tif 000017
【図１６】
2004034323.tif 000018
【図１７】
2004034323.tif 000019
【図１８】
2004034323.tif 000020
【図１９】
2004034323.tif 000021
【図２０】
2004034323.tif 000022
【図２１】
2004034323.tif 000023
【図２２】
2004034323.tif 000024
【図２３】
2004034323.tif 000025
【図２４】
2004034323.tif 000026